(57)【特許請求の範囲】
【請求項１】
周面に排気口を開口した筒状のファンケース内にモータを配した電動送風機の周囲に前記排気口を覆う防音材を配した電動送風機の防音構造において、前記ファンケースの周面に突出する突出部を設け、前記防音材に形成した周囲を閉じた貫通孔から成る複数の挿通部を前記突出部に挿通して前記ファンケースの周面に前記防音材を渦巻状に巻回したことを特徴とする電動送風機の防音構造。
【請求項２】
前記防音材が巻回によって前記ファンケースの全周にわたり複数層に積層されることを特徴とする請求項１に記載の電動送風機の防音構造。
【請求項３】
前記排気口に面した前記防音材の積層数に対して前記排気口から離れた位置の前記防音材の積層数が少ないことを特徴とする請求項２に記載の電動送風機の防音構造。
【請求項４】
周面に排気口を開口した筒状のファンケース内にモータを配した電動送風機の周囲に前記排気口を覆う防音材を配した電動送風機の防音構造において、前記ファンケースの周面に突出する突出部を設け、前記防音材に形成した挿通部を前記突出部に挿通して前記ファンケースの周面に前記防音材を渦巻状に巻回し、前記防音材が巻回によって前記ファンケースの全周にわたり複数層に積層され、前記排気口に面した前記防音材の積層数に対して前記排気口から離れた位置の前記防音材の積層数が少ないことを特徴とする電動送風機の防音構造。
【請求項５】
前記電動送風機がブラシを有する整流子モータを備え、前記突出部が前記ブラシを収納するブラシホルダから成ることを特徴とする請求項１〜請求項４のいずれかに記載の電動送風機の防音構造。
【請求項６】
請求項１〜請求項５のいずれかに記載の電動送風機の防音構造を備えたことを特徴とする電気掃除機。
【発明の詳細な説明】
【技術分野】
【０００１】
本発明は、電動送風機の周面に防音材を配した電動送風機の防音構造及びそれを用いた電気掃除機に関する。
【背景技術】
【０００２】
従来の電気掃除機は特許文献１に開示されている。この電気掃除機は吸込気流を発生させる電動送風機が本体部内に配され、電動送風機の前方には塵埃を集塵する集塵室が配される。電動送風機は羽根車及びモータをファンケースにより覆って構成される。ファンケースの軸方向の端面には吸気口が開口し、周面には排気口が開口する。
【０００３】
ファンケースの周面にはウレタンフォーム等の吸音性を有した弾性体の防音材が配される。防音材は一方向に延びた板状に形成され、両端が連結される。これにより、環状に形成された防音材に電動送風機が挿入され、排気口が防音材により覆われる。
【０００４】
電動送風機の駆動によって集塵室内に負圧が発生し、塵埃を含む気流が集塵室に流入する。塵埃は集塵室で集塵され、塵埃を除去された気流が吸気口からファンケースに流入して排気口から排気される。排気口の排気は防音材を通過して本体部から流出する。これにより、電動送風機の騒音を低減することができる。
【先行技術文献】
【特許文献】
【０００５】
【特許文献１】特開平１１−９９０９８号公報（第２頁−第４頁、第３図）
【発明の概要】
【発明が解決しようとする課題】
【０００６】
上記従来の電気掃除機によると、環状に形成された防音材に電動送風機が挿入される。このため、防音効果の向上のために防音材を厚く形成すると、柔軟性が低下して容易に環状に形成できない。従って、防音構造を形成する工数が増加する問題があった。また、複数の環状の防音材を径方向に重ねて設けると、防音材の挿入作業が増加して工数が増加するとともに、径の異なる複数の防音材を必要とするため部品点数が増加する問題もあった。
【０００７】
本発明は、工数及び部品点数を増加させずに防音効果を向上できる電動送風機の防音構造及びそれを用いた電気掃除機を提供することを目的とする。
【課題を解決するための手段】
【０００８】
上記目的を達成するために本発明は、周面に排気口を開口した筒状のファンケース内にモータを配した電動送風機の周囲に前記排気口を覆う防音材を配した電動送風機の防音構造において、前記ファンケースの周面に突出する突出部を設け、前記防音材に形成した挿通部を前記突出部に挿通して前記ファンケースの周面に前記防音材を渦巻状に巻回したことを特徴としている。
【０００９】
この構成によると、電動送風機はファンケースで覆われ、ファンケースの周面に板状の防音材が渦巻状に巻回される。これにより、ファンケースの周面に開口する排気口が防音材により覆われる。この時、ファンケースの周面には突出部が突出して設けられ、防音材に設けた挿通部に突出部を挿通して防音材が巻回される。
【００１０】
また本発明は、上記構成の電動送風機の防音構造において、前記電動送風機がブラシを有する整流子モータを備え、前記突出部が前記ブラシを収納するブラシホルダから成ることを特徴としている。
【００１１】
また本発明は、上記構成の電動送風機の防音構造において、前記挿通部が周囲を閉じた貫通孔から成ることを特徴としている。
【００１２】
また本発明は、上記構成の電動送風機の防音構造において、前記防音材が巻回によって前記ファンケースの全周にわたり複数層に積層されることを特徴としている。
【００１３】
また本発明は、上記構成の電動送風機の防音構造において、前記排気口に面した前記防音材の積層数に対して前記排気口から離れた位置の前記防音材の積層数が少ないことを特徴としている。この構成によると、排気口の排気は防音材の内部を周方向に流通し、積層数の少ない位置から外部に放出される。
【００１４】
また本発明の電気掃除機は、上記各構成の電動送風機の防音構造を備えたことを特徴としている。
【発明の効果】
【００１５】
本発明によると、防音材に形成した挿通部をファンケースの突出部に挿通してファンケースの周面に防音材を渦巻状に巻回したので、柔軟性を有する薄い一の防音材を容易に変形して一周よりも長い範囲に巻き付けることができる。この時、挿通部に突出部を挿通するため、防音材の回転を防止して作業性が向上するとともに、防音材とファンケースとの間の隙間の発生を防止することができる。従って、電動送風機の防音構造の工数及び部品点数を増加させることなく防音効果を向上することができる。
【図面の簡単な説明】
【００１６】
【図１】本発明の実施形態の電気掃除機を示す斜視図
【図２】本発明の実施形態の電気掃除機の本体部を示す側面断面図
【図３】本発明の実施形態の電気掃除機の電動送風機を示す斜視図
【図４】本発明の実施形態の電気掃除機の電動送風機を示す上面断面図
【図５】本発明の実施形態の電気掃除機の防音材を示す平面図
【発明を実施するための形態】
【００１７】
以下に本発明の実施形態を図面を参照して説明する。図１は一実施形態の電気掃除機を示す斜視図である。電気掃除機１は電動送風機３０（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１８】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させることができる。
【００１９】
図２は本体部２の側面断面図を示している。本体部２は樹脂成形品の本体カバー１０により覆われる。本体カバー１０の前面には接続ホース３（図１参照）を接続する接続口１０ａが開口し、背面には本体排気口１０ｂが開口する。
【００２０】
本体部２０の前部には塵埃を集塵する集塵部２０が配される。集塵部２０は集塵容器２２及びフィルタ３７を備え、把持部４１を把持して本体カバー１０から着脱自在に形成される。集塵容器２２の周面には接続口１０ａに連通する流入口２２ａが設けられる。流入口２２ａは集塵容器２２内に旋回気流を形成するように気流を流入させる。集塵部２０の上部には背面に集塵部排気口４２ａを開口する排気流路４２が設けられる。
【００２１】
本体部２の後部には防音材３５（図４参照）を周囲に配した電動送風機３０が配される。電動送風機３０の上部には合成ゴム等から成る緩衝体１８を介して開口面を下方に配したカップ状のハウジング１６が被嵌される。緩衝体１８によって電動送風機３０の振動吸収及び気流路の気密性向上が図られる。
【００２２】
ハウジング１６の上面には孔部１６ａが開口し、孔部１６ａと集塵部排気口４２ａとを連結するダクト１５が設けられる。ハウジング１６の前部には本体カバー１０の内面に設けたリブ１０ｄに係合する係合部１６ｂが形成される。ハウジング１６の後部には本体カバー１０にネジ止めされるネジ部１６ｃが形成される。
【００２３】
電動送風機３０の上部を覆うハウジング１６には電動送風機３０の下方を覆うハウジング１７が係着される。ハウジング１７は電動送風機３０の下端を支持し、前部に設けた係合部１７ａが本体カバー１０の内面に係合する。
【００２４】
図３は電動送風機３０の斜視図を示している。また、図４は防音材３５を配した電動送風機３０の上面断面図を示している。電動送風機３０はモータ３１のモータ軸３１ａに羽根車（不図示）が接続され、筒状のファンケース３２により覆われる。羽根車を収納するファンケース３２の上部のファン部３２ｃはモータ３１を収納する下部のモータ部３２ｄに対して径方向に大きく形成される。ファン部３２ｃの軸方向の端面には吸気口３２ａが開口し、モータ部３２ｄの周面には排気口３２ｂが開口する。
【００２５】
モータ３１はブラシ３１ｅを有する整流子モータから成っている。モータ３１の外周部にはステータ３１ｃが配され、モータ軸３１ａを有するロータ３１ｂがステータ３１ｃの内周側に対向配置される。ロータ３１ｂは整流子３１ｄを有し、ファンケース３２の周面に突設したブラシホルダ３３に収納されるブラシ３１ｅが整流子３１ｄに接して配される。ブラシホルダ３３はファンケース３２の周面から突出する突出部を構成する。
【００２６】
モータ部３２ｄの周囲には排気口３２ｂを覆う防音材３５が配される。図５は防音材３５の平面図を示している。防音材３５はウレタンフォーム等の吸音性を有した弾性体から成り、一方向に延びて形成される。防音材３５にはブラシホルダ３３が挿通される複数の挿通部３５ａが所定間隔で設けられる。
【００２７】
本実施形態では挿通部３５ａはブラシホルダ３３の断面形状に対応して周囲が閉じられた矩形の貫通孔から成っている。挿通部３５ａを多角形、円形、スリット状の貫通孔により形成してもよい。また、挿通部３５ａは周囲が閉じられた貫通孔に限られず、防音材３５の端面に開放端を有する切欠きにより挿通部３５ａを形成してもよい。
【００２８】
長尺の防音材３５はブラシホルダ３３を挿通部３５ａに挿通してモータ部３２ｄの周面に渦巻状に巻回される。これにより、一の防音材３５が積層され、柔軟性を有して容易に変形する薄い防音材３５を用いても実質的な厚みを厚く確保することができる。従って、電動送風機の防音構造の工数及び部品点数を増加させることなく防音効果を向上することができる。
【００２９】
この時、挿通部３５ａにブラシホルダ３３を挿通するので防音材３５の回転を防止し、作業性を向上させることができる。これにより、電動送風機の防音構造の工数をより低くすることができる。また、挿通部３５ａが設けられない場合はブラシホルダ３３の先端に防音材３５が当接して防音材３５とファンケース３１との間に隙間が発生し、防音効果が低下する。このため、挿通部３５ａにブラシホルダ３３を挿通することにより防音材３５がファンケース３１に密着し、隙間の発生を防止して防音効果をより向上することができる。
【００３０】
防音材３５はファンケース３２の一周よりも長い範囲に巻回されていれば防音効果を得ることができるが、二周以上に巻回するとより望ましい。これにより、ファンケース３２の全周にわたって防音材３５が複数層に積層され、全周で防音材３５の実質的な厚みを厚くすることができる。
【００３１】
また、本実施形態では排気口３２ｂに面した防音材３５が３層に積層され、排気口３２ｂに対向する位置で防音材３５が２層に積層される。即ち、排気口３５ｂに面した防音材３５の積層数に対して排気口３２ｂから離れた位置の防音材３５の積層数が少ない。積層数が少ない位置は径方向の流路抵抗が小さいため、排気口３２ｂの排気は防音材３５の内部を周方向に流通して積層数の少ない位置から外部に放出される。これにより、気流が防音材３５を通過する経路を長くすることができ、防音効果をより向上することができる。
【００３２】
上記構成の電気掃除機１において、電動送風機３０の駆動によって集塵部２０に負圧が発生し、吸込口体５から床面の塵埃が吸い込まれて延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００３３】
大きな塵埃が除去された気流は上昇し、フィルタ３７により細かい塵埃が捕集される。フィルタ３７を通過した気流は排気流路４２を流通し、集塵部排気口４２ａを介して集塵部２０から流出する。集塵部２０から流出した気流はダクト１５を流通し、電動送風機３０を介して排気口３２ｂから排気される。排気口３２ｂの排気は防音材３５を通過し、本体排気口１０ｂから外部に放出される。これにより、電動送風機３０の騒音を低減することができる。
【００３４】
本実施形態によると、防音材３５に形成した挿通部３５ａをファンケース３２の突出部を形成するブラシホルダ３３に挿通してファンケース３２の周面に防音材を渦巻状に巻回したので、柔軟性を有する薄い一の防音材３５を容易に変形して一周よりも長い範囲に巻き付けることができる。この時、挿通部３５ａにブラシホルダ３３を挿通するため、防音材３５の回転を防止して作業性が向上するとともに、防音材３５とファンケース３２との隙間の発生を防止することができる。従って、電動送風機３０の防音構造の工数及び部品点数を増加させることなく防音効果を向上することができる。
【００３５】
尚、ファンケース３２の周面にネジ等を設けて突出部を形成し、該突出部を挿通部３５ａに挿通して防音材３５を巻回してもよい。しかし、ブラシホルダ３３により挿通部３５ａに挿通される突出部を構成すると別途突出部を設ける必要がないため部品点数を削減することができる。
【００３６】
また、開放端を有する切欠きにより挿通部３５ａを形成すると、防音材３５の巻回時に周方向の力が働き、ブラシホルダ３３から挿通部３５ａが脱落しやすくなる。このため、挿通部３５ａが周囲を閉じた貫通孔により形成すると、ブラシホルダ３３からの挿通部３５ａの脱落を低減することができる。従って、防音構造の組立時の作業性をより向上することができる。
【００３７】
また、防音材３５が巻回によってファンケース３２の全周にわたり複数層に積層されるので、ファンケース３２の全周で防音材３５の実質的な厚みを厚くすることができる。従って、柔軟性を有して容易に変形する薄い防音材３５によって高い防音効果を得ることができる。
【００３８】
また、排気口３２ｂに面した防音材３５の積層数に対して排気口３２ｂから離れた位置の防音材３５の積層数が少ないので、気流が防音材３５を通過する経路を長くすることができ、防音効果をより向上することができる。
【００３９】
本実施形態において、電気掃除機１が電動送風機３０を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００４０】
本発明によると、電動送風機を備えた電気掃除機に利用することができる。
【符号の説明】
【００４１】
１    電気掃除機
２    本体部
３    接続ホース
４    延長パイプ
５    吸込口体
１０    本体カバー
１６、１７  ハウジング
１８    緩衝体
２０    集塵部
２２    集塵容器
２２ａ  流入口
３０    電動送風機
３１    モータ
３１ａ  回転軸
３１ｂ  ロータ
３１ｃ  ステータ
３１ｄ  整流子
３１ｅ  ブラシ
３２    ファンケース
３２ａ  吸気口
３２ｂ  排気口
３３    ブラシホルダ
３５    防音材
３５ａ  挿通部
４２    排気流路
４２ａ  集塵部排気口
【図１】
0005536599.tif 000002
【図２】
0005536599.tif 000003
【図３】
0005536599.tif 000004
【図４】
0005536599.tif 000005
【図５】
0005536599.tif 000006